(57)【要約】【課題】  登録の操作が簡単で、不要な携帯電話の登録を容易に抹消でき、また、音声認識装置等を必要とせず、しかも、Ｈａｎｄｓ−Ｆｒｅｅ  Ｐｒｏｆｉｌｅ規格を満たし、Ｂｌｕｅｔｏｏｔｈでも使用可能なハンズフリー電話装置を得る。【解決手段】  外部の複数の携帯電話と通信を行なう通信手段を介して、各携帯電話のＩＤコードを登録手段に登録するとともに、そのＩＤコード登録時に複数の携帯電話の所持者を特定できる付加情報を記憶手段に記憶する制御手段と、この制御手段に接続され、登録されている携帯電話に関連した一覧表を表示する表示手段と、上記制御手段に接続され、上記携帯電話のＩＤコードを入力する入力手段とを備え、上記付加情報は、画像、マーク、または複数の携帯電話の所持者を特定できる文字情報である。【選択図】        図１
2006080657.tif 000002
【特許請求の範囲】
【請求項１】
外部の複数の携帯電話と通信を行なうＢｌｕｅｔｏｏｔｈからなる通信手段と、上記通信手段を介して通信を行なう各携帯電話のＩＤコードを登録手段に登録するとともに、上記ＩＤコード登録時に複数の携帯電話の所持者を特定できる付加情報を記憶手段に記憶する制御手段と、上記制御手段に接続され、登録される携帯電話に関連した一覧表を表示する表示手段と、上記制御手段に接続され、上記携帯電話のＩＤコードを入力する入力手段とを備えたハンズフリー電話装置。
【請求項２】
制御手段は、登録手段により登録された複数の携帯電話を通信手段を介して順次サーチするサーチ手段を備えたことを特徴とする請求項１記載のハンズフリー電話装置。
【請求項３】
サーチ手段は、サーチにより検知された複数の携帯電話の付加情報一覧表を表示手段に表示し、操作者が選択できるようにしたことを特徴とする請求項２記載のハンズフリー電話装置。
【請求項４】
制御手段は、通信手段を介してサーチ手段により検知された複数の携帯電話のいずれかと接続し、この接続が一定時間以上途切れた場合に、上記サーチ手段により、登録された複数の携帯電話を順次サーチすることを特徴とする請求項２または請求項３記載のハンズフリー電話装置。
【発明の詳細な説明】
【技術分野】
【０００１】
この発明は、複数の携帯電話と通信可能なハンズフリー電話装置に関するものである。
【背景技術】
【０００２】
従来、いわゆるＢｌｕｅｔｏｏｔｈ付き携帯電話を用いてハンズフリー電話をする場合には、まずハンズフリー電話装置に携帯電話の登録が必要であり、１台目の携帯電話とハンズフリー電話装置をＢｌｕｅｔｏｏｔｈからなる通信手段で接続し、付加情報として携帯電話の電話番号を入力し、登録して、次に２台目の携帯電話を登録し、さらに３台目の携帯電話を登録する。そして、この状態で使用している場合に、その後４台目の携帯電話を登録しようとすると、登録件数の最大が３件であるため、不要な携帯電話の登録を抹消し、登録された携帯電話のリストを表示するが、付加情報は携帯電話の電話番号であるので携帯電話の電話番号の一覧表が表示される。このため、操作者は抹消しようとする携帯電話の電話番号を個別に予め記憶しておく必要がある（例えば、特許文献１参照）。
【０００３】
また、従来の他のハンズフリー電話装置では、付加情報に所持者の特定の音声を登録するが、そのために別途専用の音声認識装置を用いている（例えば、特許文献２参照）。
また、上記特許文献１に記載されているような従来のハンズフリー電話装置では、Ｂｌｕｅｔｏｏｔｈ機能付き携帯電話とハンズフリー電話装置の接続方法として、Ｂｌｕｅｔｏｏｔｈ機能付き携帯電話とをいわゆるピコネット（無線ＬＡＮ）で同時に複数台接続することを前提としている。
【０００４】
【特許文献１】特開２００２−２２３２８８号公報
【特許文献２】特開２００２−３３０１００号公報
【発明の開示】
【発明が解決しようとする課題】
【０００５】
しかしながら、上記特許文献１に記載されているようなハンズフリー電話装置の場合には、携帯電話とハンズフリー電話装置をＢｌｕｅｔｏｏｔｈで接続し、付加情報として携帯電話の電話番号を入力し、登録するため、操作者は長い電話番号を間違いなく入力する必要があり、操作が非常に面倒であり、また、許容された登録件数を超えて他の携帯電話を登録する必要がある場合には、不要な携帯電話の登録を抹消するために、その抹消しようとする携帯電話の電話番号を個別に予め記憶しておく必要があり、非常に効率が悪く、不便であるという問題点があった。
【０００６】
また、上記特許文献２に記載の付加情報に所持者の特定の音声を登録するようなハンズフリー電話装置の場合には、その音声を認識するための音声認識装置が別途専用に必要であるので、ハンズフリー電話装置の構成が複雑でコスト的にも高価になるという問題点があった。
さらに、上記特許文献１に記載されているようなハンズフリー電話装置の場合には、Ｂｌｕｅｔｏｏｔｈ機能付き携帯電話とハンズフリー電話装置の接続方法として、Ｂｌｕｅｔｏｏｔｈ機能付き携帯電話とをピコネットで同時に複数台接続することを前提としているが、２００３年４月２９日制定のＢｌｕｅｔｏｏｔｈ  ＳＩＧのＨａｎｄｓ−Ｆｒｅｅ  Ｐｒｏｆｉｌｅ規格では、ピコネットを使用しないことを前提として規格が定められており、つまり携帯電話との同時接続は１台を前提としているため、Ｂｌｕｅｔｏｏｔｈでは使用出来ないという問題点があった。
【０００７】
この発明は、上記のような課題を解決するためになされたもので、携帯電話を登録する際の操作が簡単で、また、許容された登録件数を超えて他の携帯電話を登録する必要がある場合に、不要な携帯電話の登録を容易に抹消でき、また、付加情報に所持者の特定の音声を登録するような場合にも、音声認識装置等を必要とせず、しかも、Ｈａｎｄｓ−Ｆｒｅｅ  Ｐｒｏｆｉｌｅ規格を満たし、Ｂｌｕｅｔｏｏｔｈでも使用可能なハンズフリー電話装置を得ることを目的とする。
【課題を解決するための手段】
【０００８】
この発明に係るハンズフリー電話装置は、外部の複数の携帯電話と通信を行なうＢｌｕｅｔｏｏｔｈからなる通信手段と、上記通信手段を介して通信を行なう各携帯電話のＩＤコードを登録手段に登録するとともに、上記ＩＤコード登録時に複数の携帯電話の所持者を特定できる付加情報を記憶手段に記憶する制御手段と、上記制御手段に接続され、登録される携帯電話に関連した一覧表を表示する表示手段と、上記制御手段に接続され、上記携帯電話のＩＤコードを入力する入力手段とを備えたものである。
【発明の効果】
【０００９】
この発明は、登録する際の操作が簡単で、不要な携帯電話の登録を容易に抹消でき、また、付加情報に所持者の特定の音声を登録する際に音声認識装置等を必要とせず、しかも、Ｈａｎｄｓ−Ｆｒｅｅ  Ｐｒｏｆｉｌｅ規格を満たし、Ｂｌｕｅｔｏｏｔｈでも使用可能な利便性等の優れたハンズフリー電話装置が得られるという効果がある。
【発明を実施するための最良の形態】
【００１０】
以下、この発明の実施の一形態を説明する。
実施の形態１．
図１は、この発明の実施の形態１によるハンズフリー電話装置の構成を示すブロック図である。
図１において、本実施の形態によるハンズフリー電話装置は、マイク、アンプ等を有し、音声を入力する音声入力手段１と、スピーカ、アンプ等を有し、音声を出力する音声出力手段２と、登録されている登録一覧表等を表示する表示器（表示手段）３と、登録の際に押圧される例えばタッチパネルを用いた登録ボタン等が設けられ携帯電話のＩＤコードを入力する入力手段４と、外部の携帯電話７〜１０と通信を行なうＢｌｕｅｔｏｏｔｈからなる通信手段５と、マイクロコンピュータ等を有し、これらの各手段を制御する制御手段６とを備える。
因みに、ここでは、携帯電話７は第１の所持者例えば父の携帯電話であり、携帯電話８は第２の所持者例えば母の携帯電話であり、携帯電話９は第３の所持者例えば友人の携帯電話であり、そして、携帯電話１０は第４の所持者例えば姉の携帯電話であるとする。
【００１１】
図２は、制御手段の具体的構成の一例を示すブロック図である。
制御手段６は、通信手段５により接続する外部の携帯電話７〜１０のＩＤコードを登録する登録手段６１と、ＩＤコード登録時に付加する付加情報を記憶する付加情報記憶手段６２と、登録された携帯電話の台数等を判断する判断手段６３とを備え、付加情報記憶手段６２に記憶される付加情報は、この場合例えば画像、マーク、または複数の携帯電話７〜１０の所持者を容易に特定できる文字情報である。
【００１２】
次に、動作について、Ｂｌｕｅｔｏｏｔｈ機能付き携帯電話を用いたハンズフリー電話の登録方法に関連し、図３〜図６を参照して説明する。
まず、入力手段４の登録ボタンを押すと登録モードに入り（ステップＳＴ１）、次いで、父の携帯電話７とハンズフリー電話装置がＢｌｕｅｔｏｏｔｈである通信手段５を介して通信できると（ステップＳＴ２）、制御手段６の登録手段６１は、現在何台登録されているかを、判断手段６３を用いてチェックし（ステップＳＴ３）、Ｎ台（例えば３台）未満の場合は、図４に示すような選択画面を表示器３に表示する（ステップＳＴ６）。この選択画面には、図４に示すように、携帯電話７〜１０の所持者を容易に特定できるに対応したマークＭ１〜Ｍ４と一般名詞の文字「父」、「母」、「友人」および「姉」が表示されている。
【００１３】
次いで、操作者（父）は選択画面の左端のマークＭ１を選択し（ステップＳＴ７）、次に、登録手段６１は、携帯電話７のＩＤコードを登録し（ステップＳＴ８）、続いて、付加情報記憶手段６２は、マークＭ１と「父」という文字情報を付加情報として携帯電話７のＩＤコードに関連づけて付加情報記憶手段６２に記憶する（ステップＳＴ９）。次に、登録手段６１は、１台目の登録であるので優先順位を自動的に１位に設定する（ステップＳＴ１０）。上記方法で、Ｎ台即ち３台中の残りの２台即ち携帯電話８，９に付いても同様の処理がなされ、この時点で３台の携帯電話７，８，９が登録される。
【００１４】
次に、４台目の携帯電話１０を登録に行き、ステップＳＴ３で登録手段６１は既にＮ台即ちこの場合３台登録されているので、表示器３に図５に示すような登録一覧表を表示する（ステップＳＴ４）。なお、図５の登録一覧表における数字１，２，３は、ここでは便宜上登録の優先順位の１位、２位、３位をそれぞれ表している。
操作者（姉）はここで不要となった優先順位３位の友人の携帯電話９を入力手段４から指示し、登録手段６１は、携帯電話９を登録から抹消し（ステップＳＴ５）、図６に示すような選択画面を表示器３に表示させる（ステップＳＴ６）。この表示器３に表示される選択画面は、図６に示すように、上段にマークＭ１〜Ｍ４とこれに対応して一般名詞の文字「父」、「母」、「友人」および「姉」が表示されており、下段にその優先順位がそれぞれ１，２，３と表示される。
【００１５】
次いで、操作者（姉）はここで右端のマークＭ４を選択し、続いて優先順位１位を選択する（ステップＳＴ７）。登録手段６１は、携帯電話１０のＩＤコードを登録し（ステップＳＴ８）、続いて、付加情報記憶手段６２は、マークＭ４と「姉」という文字情報を付加情報として携帯電話１０のＩＤコードに関連づけて記憶する（ステップＳＴ９）。続いて、登録手段６１は、携帯電話１０の優先順位を１位に設定し、携帯電話７，８の優先順位を下げ（ステップＳＴ１０）、一連の処理を終了する。
なお、上記では、図４および図６のマークＭ１〜Ｍ４を「父」、「母」、「友人」および「姉」に対応して４つのみ表示したが、これに限定されること無く、その他、例えば祖母、兄、親戚１、親戚２、隣人、先生などできる限り多く表示するようにしてもよい。
【００１６】
以上のように、この実施の形態１では、Ｂｌｕｅｔｏｏｔｈ機能付き携帯電話を登録する場合に、マーク等を選択するのみであるので、桁数の多い電話番号を間違いなく入力しなければならないのに比べ、入力が容易で、利便性がよい。また、マーク等で表示するので、選択したり削除する場合に複数ある携帯電話を容易に識別でき、作業性を向上できる。
【００１７】
実施の形態２．
図７は、この発明の実施の形態２によるハンズフリー電話装置における制御手段の構成を示すブロック図である。
本実施の形態では、上記実施の形態１における図１の制御手段６の代わりに、この制御手段６と同様に、登録手段６１、付加情報記憶手段６２および判断手段６３を備えていると共に、登録手段６１により登録された複数の携帯電話７〜１０を順次サーチするサーチ手段６４を備えた制御手段６Ａを用いる。なお、Ｂｌｕｅｔｏｏｔｈ付き携帯電話を用いたハンズフリー電話の登録方法は、上記実施の形態１で示した方法でもよいし、また、他の方法でも差し支えない。
【００１８】
次に、動作について、Ｂｌｕｅｔｏｏｔｈ機能付き携帯電話を用いたハンズフリー電話の接続方法に関連し、図８を参照して説明する。
なお、現在、上記実施の形態１の方法で携帯電話７，８，９が優先順位１位，２位，３位で、また、付加情報が「父」「母」「友人」で登録されているものとする。また、現在運転席に携帯電話８の所持者（母）が、助手席に携帯電話９の所持者（友人）がいるものとする。
【００１９】
車両のエンジンを始動させると、制御手段６Ａは登録件数が１件以上有ると、処理を開始し、制御手段６Ａのサーチ手段６４は、優先順位１の携帯電話、この場合携帯電話７のサーチを行う（ステップＳＴ１１）。携帯電話７が検知されたか否かを判断手段６３により判別し（ステップＳＴ１２）、今、携帯電話７は存在しない、つまり、携帯電話７の所持者である操作者（父）は乗車していないのでステップＳＴ１３へ進み、ここでサーチ手段６４は、登録された全ての携帯電話のサーチが終了したか否かを判断手段６３により判断し（ステップＳＴ１３）、終了していなければ、優先順位を１つ下げて、つまり所持者が操作者（母）である携帯電話８のサーチを行い（ステップＳＴ１４）、ステップＳＴ１２で携帯電話８がサーチされたか否かを判別し、ここで、携帯電話８、付加情報「母」はサーチされるので、ステップＳＴ１５に進み、通信手段５は、優先順位Ｎの携帯電話８と接続を行う。
【００２０】
一旦携帯電話８と接続されると、発信時は入力手段４からのダイヤル操作で発信でき、着信時は音声出力手段２からのＲｉｎｇ音を聞いて、入力手段４のｏｆｆＨｏｃｋ操作で着信できる。そして音声入力手段１と音声出力手段２でハンズフリーで通話が可能となる。かくして、運転席の者がハンズフリーで電話を行うことができ、この場合友人が運転席に、母が助手席に座る場合は優先順位を変更すればよい。
【００２１】
以上のように、この実施の形態２では、Ｂｌｕｅｔｏｏｔｈ機能付き携帯電話を用いて電話をする場合に、サーチして近傍にある登録されたＢｌｕｅｔｏｏｔｈ機能付き携帯電話を自動的にサーチできるので、手動で選択する必要がなく、その利便性を一層向上できる。
【００２２】
実施の形態３．
本実施の形態では、サーチ手段６４によりサーチされた複数の携帯電話のいずれかと接続し、この接続が一定時間以上途切れた場合に、登録された複数の携帯電話を順次サーチする場合である。なお、その回路構成、特に制御手段は、上記実施の形態２における図７と同様の制御手段６Ａと同様の用いればよいので、その説明を省略する。
【００２３】
次に、動作について、図９を参照して説明する。
いま、上記実施の形態２における図８のステップＳＴ１５で、携帯電話８で、運転席の操作者（母）がハンズフリーで電話を行うことができるようになった後、操作者（母）が降車し、友人が運転席に座ったとする。通信手段５は携帯電話８との通信が途絶えるので、一定時間経過したか否かを判別し（ステップＳＴ１６）、一定時間後、通信手段５は制御手段６Ａに通信が切断されたことを伝達する。制御手段６Ａは、通信手段５から通信が切断されたことを伝達されると、最初に戻って処理を開始し、制御手段６Ａのサーチ手段６３は、優先順位が１位の携帯電話、この場合携帯電話７のサーチを行う（ステップＳＴ１１）。
【００２４】
次いで、携帯電話７が検知されたか否かを判断手段６４で判別し（ステップＳＴ１２）、今、携帯電話７は存在しないのでステップＳＴ１３へ進み、ここでサーチ手段６４は、登録された全ての携帯電話のサーチが終了したかを判断手段６３により判断し（ステップＳＴ１３）、終了していなければ、優先順位を１つ下げて、つまり携帯電話８のサーチを行う（ステップＳＴ１４）。そして、サーチ手段６４は、ステップＳＴ１２で携帯電話８が検知されたか否かを判別し、ここでも携帯電話８は存在しないので、登録された全ての携帯電話のサーチが終了したかを判断手段６３により判断し（ステップＳＴ１３）、終了していなければ、優先順位を１つ下げて、つまり携帯電話９のサーチを行う（ステップＳＴ１４）。ここで、携帯電話９、付加情報「友人」は検知されるので（ステップＳＴ１２）、ステップＳＴ１５に進み、ここで、通信手段５は、携帯電話９と接続を行う。
【００２５】
一旦携帯電話９と接続されると、発信時は入力手段４からのダイヤル操作で発信でき、着信時は音声出力手段２からのＲｉｎｇ音を聞いて、入力手段４のｏｆｆＨｏｃｋ操作で着信できる。そして音声入力手段１と音声出力手段２でハンズフリーで通話が可能となる。
【００２６】
以上のように、この実施の形態３では、何等操作を行うことなく、運転席の者がハンズフリーで電話を行うことができる。例えば、携帯電話７の所持者が運転者で、携帯電話８の所持者が助手席にいる場合でも、運転者が降車して、助手席の者が運転した場合に自動的にハンズフリー電話の接続切り替えができるので、操作が不要で利便性が高い。
【００２７】
実施の形態４．
本実施の形態では、制御手段６Ａが、登録手段６１により登録された複数の携帯電話を順次サーチするサーチ手段６４を備え、このサーチ手段６４が、検知された複数の携帯電話７〜１０の付加情報一覧表を表示器３に表示し、操作者が選択できるようにした場合である。なお、その回路構成、特に制御手段は、上記実施の形態２における図７と同様の制御手段６Ａを用いればよいので、その説明を省略する。なお、Ｂｌｕｅｔｏｏｔｈ付き携帯電話を用いたハンズフリー電話の登録方法は、ここでも上記実施の形態１で示した方法でもよいし、また、他の方法でも差し支えない。
【００２８】
次に、動作について、Ｂｌｕｅｔｏｏｔｈ機能付き携帯電話を用いたハンズフリー電話の接続方法に関連し、図１０を参照して説明する。
ここで、現在、上記実施の形態１の方法で携帯電話７，８，９が付加情報「父」「母」「友人」で登録されているものとする。また、現在運転席に携帯電話８の所持者（母）が、助手席に携帯電話７の所持者（父）がいるものとする。
いま、車両のエンジンを始動させると、制御手段６Ａは登録件数が１件以上有ると、図１０の処理動作に入り、制御手段６Ａのサーチ手段６４は、最初に登録された携帯電話、この場合携帯電話７のサーチを行う（ステップＳＴ２１）。
次いで、携帯電話７が存在するか否かを判断手段６３により判別し（ステップＳＴ２２）、今、携帯電話７は存在するので検知されてステップＳＴ２３へ進み、ここで、サーチ手段６４は、検知された携帯電話７をＩＤコード、付加情報と共に付加情報記憶手段６２に記憶する。
【００２９】
次に、サーチ手段６４は、登録された全ての携帯電話のサーチが終了した否かを判断手段６３により判断し（ステップＳＴ２４）、終了していなければステップＳＴ２５へ進み、ここで、次に登録された携帯電話、この場合携帯電話８のサーチを行う。
次いで、携帯電話８が存在するか否かを判別し（ステップＳＴ２２）、今、携帯電話８は存在するので検知されてステップＳＴ２３へ進み、ここで、サーチ手段６４は、検知された携帯電話８をＩＤコード、付加情報と共に付加情報記憶手段６２に記憶する。次いで、登録された全ての携帯電話のサーチが終了したかを判断手段６３により判断し（ステップＳＴ２４）、以下、同様に登録された全ての携帯電話のサーチが終了するまで上記を繰り返す。そして、全てが終了するとステップＳＴ２６へ進む。
【００３０】
ステップＳＴ２６において、制御手段６Ａは、検知された携帯電話の一覧表を表示器３に表示する。図１１がその一例を示すもので、この場合、表示器３の画面上には、「父」「母」のマークＭ１，Ｍ２と、一般名詞の文字「父」、「母」が表示される。
次いで、操作者はこの場合、運転席にいる所持者（母）の携帯電話８を入力手段４で選択し（ステップＳＴ２７）、通信手段５は、選択された携帯電話８と接続を行う（ステップＳＴ２８）。
一旦携帯電話８と接続されると、発信時は入力手段４からのダイヤル操作で発信でき、着信時は音声出力手段２からのＲｉｎｇ音を聞いて、入力手段４のｏｆｆＨｏｃｋ操作で着信できる。そして、音声入力手段１と音声出力手段２でハンズフリーで通話が可能となる。
【００３１】
以上のように、この実施の形態４によれば、必ず運転席の者がハンズフリーで通話を行うことができ、また、検知されたＢｌｕｅｔｏｏｔｈ機能付き携帯電話のみをマーク等で自動的に表示するので、操作者にとって携帯電話の選択が容易で、誤接続の虞がなく、信頼性の高い交信が可能になる。
【図面の簡単な説明】
【００３２】
【図１】この発明の実施の形態１によるハンズフリー電話装置の構成を示すブロック図である。
【図２】この発明の実施の形態１によるハンズフリー電話装置の要部の具体例を示す構成図である。
【図３】この発明の実施の形態１の動作を説明するためのフローチャートである。
【図４】この発明の実施の形態１の動作を説明するための模式図である。
【図５】この発明の実施の形態１の動作を説明するための模式図である。
【図６】この発明の実施の形態１の動作を説明するための模式図である。
【図７】この発明の実施の形態２によるハンズフリー電話装置の要部の具体例を示す構成図である。
【図８】この発明の実施の形態２の動作を説明するためのフローチャートである。
【図９】この発明の実施の形態３の動作を説明するためのフローチャートである。
【図１０】この発明の実施の形態４の動作を説明するためのフローチャートである。
【図１１】この発明の実施の形態４の動作を説明するための模式図である。
【符号の説明】
【００３３】
１  音声入力手段、２  音声出力手段、３  表示器、４  入力手段、５  通信手段、６，６Ａ  制御手段、７，８，９，１０  携帯電話、６１  登録手段、６２  付加情報記憶手段、６３  判断手段、６４  サーチ手段。
【図１】
2006080657.tif 000003
【図２】
2006080657.tif 000004
【図３】
2006080657.tif 000005
【図４】
2006080657.tif 000006
【図５】
2006080657.tif 000007
【図６】
2006080657.tif 000008
【図７】
2006080657.tif 000009
【図８】
2006080657.tif 000010
【図９】
2006080657.tif 000011
【図１０】
2006080657.tif 000012
【図１１】
2006080657.tif 000013